(57)【要約】【課題】  コンパクトに収納されて保管でき、運搬が容易でなおかつ短時間で設置できるユニット住宅とその施工方法を提供することである。【解決手段】  地面に固設される基礎部９に垂設可能に形成される二対の第１の柱部１０，１０と、この二対の第１の柱部１０，１０に内設され鉛直方向に可動な二対の第２の柱部１１，１１と、二対の第１の柱部の下端部間に横設される二対の第１の床支持部１３，１４と、二対の第２の柱部の上端部間に横設される二対の第１の屋根支持梁部１７，１７と、第１の壁部１５，１５と、この第１の壁部の下端部の形状と係合可能な形状を上端部に有し第１の壁部１５，１５下部に設置される第２の壁部１６，１６と、第１の屋根支持梁部に一の端部が枢設される第１の屋根部２１とを有するものである。【選択図】  図２
2005097952.tif 000002
【特許請求の範囲】
【請求項１】
地面に固設される基礎部に垂設可能に形成される二対の第１の柱部と、この二対の第１の柱部に内設され鉛直方向に可動する二対の第２の柱部と、前記二対の第１の柱部の下端部間にそれぞれ横設される二対の第１の床支持部と、前記二対の第２の柱部の上端部間にそれぞれ横設される二対の第１の屋根支持梁部と、少なくとも１の前記第１の屋根支持梁部又は少なくとも一対の前記第２の柱部上端部から吊設される第１の壁部と、この第１の壁部の下端部の形状と係合可能な形状を上端部に有し前記第１の壁部下部に設置される第２の壁部と、前記二対の第１の屋根支持梁部のうち、１の第１の屋根支持梁部に一の端部が枢設される第１の屋根部とを有するユニット住宅であって、前記第１の屋根部は、その一部が曲折可能であって、展開して前記枢設される一の端部を下端として上方へ傾斜する屋根を形成することを特徴とするユニット住宅。
【請求項２】
請求項１記載のユニット住宅を第１のユニット住宅として、その内部に、地面に固設される基礎部に垂設可能に形成される二対の第３の柱部と、この二対の第３の柱部に内設され鉛直方向に可動する二対の第４の柱部と、前記二対の第３の柱部の下端部間にそれぞれ横設される二対の第２の床支持部と、前記二対の第４の柱部の上端部間にそれぞれ横設される二対の第２の屋根支持梁部と、少なくとも１の前記第２の屋根支持部又は少なくとも一対の前記第４の柱部上端部から吊設される２の第３の壁部と、この第３の壁部の下端部の形状と係合可能な形状を上端部に有し前記第３の壁部下部に設置される２の第４の壁部と、前記二対の第２の屋根支持梁部のうち、１の第２の屋根支持梁部に一の端部が枢設される第２の屋根部とを有するユニット住宅であって、前記第２の屋根部は、その一部が曲折可能であって、展開して前記枢設される一の端部を下端として上方へ傾斜する屋根を形成する第２のユニット住宅を収容し、前記第２のユニット住宅は滑動可能な移動手段を具備することを特徴とするユニット住宅。
【請求項３】
前記第１の屋根部は、展開して形成される傾斜屋根の頂部から下方に第５の壁部を備え、この第５の壁部は前記二対の第１の屋根支持梁部のうち、前記第１の屋根部の一の端部が枢設された第１の屋根支持梁部と対をなす他の第１の屋根支持梁部の上部に設置され、さらに、この第５の壁部にはユニット住宅内部へ水平に延びる棚部が枢設されることを特徴とする請求項１又は請求項２記載のユニット住宅。
【請求項４】
地面に固設される第１の基礎部と、この第１の基礎部に内設され鉛直方向に位置調整及び固定可能な第２の基礎部とを具備することを特徴とする請求項１乃至請求項３のいずれか１に記載のユニット住宅。
【請求項５】
複数のユニット住宅を連結して住宅を施工する方法において、隣接する少なくとも一方のユニット住宅として請求項１記載のユニット住宅を配置し、ユニット住宅の第１の柱部の内部から第２の柱部を伸長する工程と、ユニット住宅の第１の壁部の下部に第２の壁部を係合させて一面の壁部を形成する工程と、曲折された第１の屋根部を展開して上方に傾斜する屋根を形成する工程とを有することを特徴とするユニット住宅の施工方法。
【請求項６】
複数のユニット住宅を連結して住宅を施工する方法において、隣接する少なくとも一方のユニット住宅として請求項２記載のユニット住宅を配置し、第２のユニット住宅を移動する工程と、第１のユニット住宅の第１の柱部の内部から第２の柱部を伸長する工程と、ユニット住宅の第１の壁部の下部に第２の壁部を係合させて一面の壁部を形成する工程と、曲折された第１の屋根部を展開して上方に傾斜する屋根を形成する工程と、前記第２のユニット住宅の第３の柱部の内部から第４の柱部を伸長する工程と、前記第２のユニット住宅の第３の壁部と第４の壁部を係合させて一面の壁部を形成する工程と、曲折された第２の屋根部を展開して上方に傾斜する屋根を形成する工程とを有することを特徴とするユニット住宅の施工方法。
【発明の詳細な説明】
【技術分野】
【０００１】
本発明は、ユニット住宅とその施工方法に係わり、特に、保管及び運搬並びに設置が容易なユニット住宅とその施工方法に関する。
【背景技術】
【０００２】
一般に、ユニット住宅は、製造工場においてパネル等を組み立てて部屋等のユニット構造体を製造し、このユニット構造体を設置現場に運搬して連結や合体等により造られるものであり、通常の住宅に比べて施工時間が短く、また、製造工場における管理が行き届くので品質が良好であるという利点を有している。近年、このようなユニット住宅を長期間にわたってより便利に使用することが考えられている。
【０００３】
例えば、特許文献１には、略箱形の建物ユニットの複数個を組み合わせて接合したユニット建物において、一部の建物ユニットを、落とし込み型の浴室を備えた更新建物ユニットや、互いに上下に接合されて対となってエレベータの設置が可能な更新建物ユニット等に交換して再度組み合わせて接合したユニット建物が開示されている。
この特許文献１に開示された発明では、ユニット建物を移設又は改装等するに際して、一部の建物ユニットを新しい建物ユニットに交換するという簡単な作業で、落とし込み型の浴室やエレベータ等の新しい機能を備えたユニット建物を提供することができる。また、更新建物ユニットは、鉄骨構造材によって構成されるラーメン構造体であるので、天井や床の一部に大きな開口を設けても機械的強度を保つことができる。
【０００４】
また、特許文献２には、略箱型に軸組みされたフレームと、このフレームの一側面に着脱可能に設置される外壁パネルと、フレーム内に収容可能で所定の内装設備を有するカートリッジと、このカートリッジをフレーム内の所定位置に保持して外壁パネルへ案内する保持レールとを有するカートリッジ式建物ユニットと、カートリッジ式建物ユニットの改装対象のカートリッジに面した外壁パネルを取外し、改装対象のカートリッジを引出して取り除き、取り除いた跡に新規のカートリッジを挿入し、先に取り外した外壁パネルを再び取付けるユニット式建物の改装方法が開示されている。
この特許文献２に開示された発明では、浴室やトイレやキッチン等の改装が必要とされる設備をカートリッジに収容させておき、このカートリッジを入れ換えすることにより無駄のない内部改装を迅速かつ容易に行うことができる。
【特許文献１】特開２００２−１６７８５８号公報
【特許文献２】特開平５−２３０８８３号公報
【発明の開示】
【発明が解決しようとする課題】
【０００５】
しかしながら、特許文献１に記載された従来の技術では、複数個の建物ユニットを連結させて居住に必要な空間を造り上げるもので、個々の建物ユニットは部屋或いは部屋相当の大きさを有するものであり、広い保管場所を必要とするため、専業者以外が保管できるものでなく、例えば、自然災害等の発生による緊急的な仮設住宅に備えて自治体等が所有することは困難である。また、運搬も大掛かりとなるので、前記の仮設住宅として建物ユニットを大量に運搬するには、時間がかかる上に輸送コストがかさむという課題があった。
さらに、建物ユニットの施工には、複数のボルトを使用するので組立て及び撤去の工期が長くなるという課題もあった。
【０００６】
また、特許文献２に記載された従来の技術では、特許文献１と同様に、カートリッジ式建物ユニットは大きく、保管が困難であり、運搬には時間とコストがかかるという課題があった。
また、カートリッジを設けて保持レールによって外壁パネルへ案内するという発想はあるものの、これは、カートリッジを交換するために取り出すためであって、居住空間を拡張するものではない。
さらに、使用者によっては、浴室等の設備を必ずしも交換するとは限らず、交換しない場合は種々の部品を施すためにコストアップになるという課題があった。
【０００７】
本発明はかかる従来の事情に対処してなされたものであり、コンパクトに収納して保管でき、運搬が容易でなおかつ短時間で設置できるユニット住宅とその施工方法を提供することを目的とする。
【課題を解決するための手段】
【０００８】
上記目的を達成するため、請求項１記載の発明であるユニット住宅は、地面に固設される基礎部に垂設可能に形成される二対の第１の柱部と、この二対の第１の柱部に内設され鉛直方向に可動する二対の第２の柱部と、二対の第１の柱部の下端部間にそれぞれ横設される二対の第１の床支持部と、二対の第２の柱部の上端部間にそれぞれ横設される二対の第１の屋根支持梁部と、少なくとも１の第１の屋根支持梁部又は少なくとも一対の第２の柱部上端部から吊設される第１の壁部と、この第１の壁部の下端部の形状と係合可能な形状を上端部に有し第１の壁部下部に設置される第２の壁部と、二対の第１の屋根支持梁部のうち、１の第１の屋根支持梁部に一の端部が枢設される第１の屋根部とを有するユニット住宅であって、第１の屋根部は、その一部が曲折可能であって、展開して枢設される一の端部を下端として上方へ傾斜する屋根を形成するものである。
上記構成のユニット住宅は、不使用時には第１の柱部の内部に第２の柱部を収納でき、逆に、使用時には第１の柱部から第２の柱部を鉛直方向に可動して固定して長い柱部を形成するという作用を有する。
また、第１の壁部及び第２の壁部についても、不使用時には重ねて収納されるが、使用時には第１の壁部の下端部と第２の壁部の上端部が係合して一面の壁部を形成するという作用を有している。
さらに、屋根部についても、不使用時には曲折して２の第１の壁部間又は２の第２の壁部間に収納することができ、使用時には一の端部を下端として展開し上方へ傾斜する屋根を形成するという作用を有する。
【０００９】
また、請求項２に記載の発明であるユニット住宅は、請求項１記載のユニット住宅を第１のユニット住宅として、その内部に、地面に固設される基礎部に垂設可能に形成される二対の第３の柱部と、この二対の第３の柱部に内設され鉛直方向に可動する二対の第４の柱部と、二対の第３の柱部の下端部間にそれぞれ横設される二対の第２の床支持部と、二対の第４の柱部の上端部間にそれぞれ横設される二対の第２の屋根支持梁部と、少なくとも１の第２の屋根支持部又は少なくとも一対の第４の柱部上端部から吊設される２の第３の壁部と、この第３の壁部の下端部の形状と係合可能な形状を上端部に有し第３の壁部下部に設置される２の第４の壁部と、二対の第２の屋根支持梁部のうち、１の第２の屋根支持梁部に一の端部が枢設される第２の屋根部とを有するユニット住宅であって、第２の屋根部は、その一部が曲折可能であって、展開して前記枢設される一の端部を下端として上方へ傾斜する屋根を形成する第２のユニット住宅を収容し、第２のユニット住宅は滑動可能な移動手段を具備するものである。
上記構成のユニット住宅は、請求項１に記載のユニット住宅を第１のユニット住宅として、その内部に第１のユニット住宅と同様の構造を有し、小さく設計される第２のユニット住宅を収納するので、第１のユニット住宅及び第２のユニット住宅は請求項１に記載のユニット住宅と同様の作用を有する。
さらに、第１のユニット住宅に収納された第２のユニット住宅を移動手段によって滑動させて、各々を展開することができるので、コンパクトに収納されているにも拘わらずより広い空間を提供するという作用を有する。
【００１０】
さらに、請求項３の発明であるユニット住宅は、請求項１又は請求項２記載のユニット住宅において、第１の屋根部は、展開して形成される傾斜屋根の頂部から下方に第５の壁部を備え、この第５の壁部は二対の第１の屋根支持梁部のうち、第１の屋根部の一の端部が枢設された第１の屋根支持梁部と対をなす他の第１の屋根支持梁部の上部に設置され、さらに、この第５の壁部にはユニット住宅内部へ水平に延びる棚部が枢設されるものである。
上記構成のユニット住宅は、請求項１又は請求項２記載の発明の作用に加えて、第５の壁部に枢設される棚部によって、新たな居住スペースが造られるという作用を有する。
【００１１】
そして、請求項４に記載の発明であるユニット住宅は、請求項１乃至請求項３のいずれか１項に記載のユニット住宅において、地面に固設される第１の基礎部と、この第１の基礎部に内設され鉛直方向に位置調整及び固定可能な第２の基礎部とを具備するものである。
上記構成のユニット住宅は、請求項１乃至請求項３のいずれか１項に記載の発明の作用に加えて、第２の基礎部は第１の基礎部から鉛直方向に移動して任意の位置に固定できるので、第１の基礎部と第２の基礎部によって形成される基礎部は高さを自在に変えるという作用を有する。
【００１２】
請求項５に記載の発明であるユニット住宅の施工方法は、複数のユニット住宅を連結して住宅を施工する方法において、隣接する少なくとも一方のユニット住宅として請求項１記載のユニット住宅を配置し、ユニット住宅の第１の柱部の内部から第２の柱部を伸長する工程と、ユニット住宅の第１の壁部の下部に第２の壁部を係合させて一面の壁部を形成する工程と、曲折された第１の屋根部を展開して上方に傾斜する屋根を形成する工程とを有するものである。
上記構成のユニット住宅の施工方法は、第１の柱部の内部から第２の柱部を伸長して長い柱部を形成し、第１の壁部の下部に第２の壁部を係合させて一面の壁部を形成し、曲折された第１の屋根部を展開して上方に傾斜する屋根を形成することによって、コンパクトに収納されたユニット住宅から広い空間を有するユニット住宅を簡単に施工するという作用を有する。
【００１３】
また、請求項６に記載の発明であるユニット住宅の施工方法は、複数のユニット住宅を連結して住宅を施工する方法において、隣接する少なくとも一方のユニット住宅として請求項２記載のユニット住宅を配置し、第２のユニット住宅を移動する工程と、第１のユニット住宅の第１の柱部の内部から第２の柱部を伸長する工程と、ユニット住宅の第１の壁部の下部に第２の壁部を係合させて一面の壁部を形成する工程と、曲折された第１の屋根部を展開して上方に傾斜する屋根を形成する工程と、第２のユニット住宅の第３の柱部の内部から第４の柱部を伸長する工程と、第２のユニット住宅の第３の壁部と第４の壁部を係合させて一面の壁部を形成する工程と、曲折された第２の屋根部を展開して上方に傾斜する屋根を形成する工程とを有するものである。
上記構成のユニット住宅の施工方法は、第１のユニット住宅の内部から第２のユニット住宅を引き出して、コンパクトに収納された第１のユニット住宅を展開し、続いて、同じくコンパクトに収納された第２のユニット住宅を展開して、より広い空間を持つユニット住宅を簡単に施工するという作用を有する。
【発明の効果】
【００１４】
以上説明したように、本発明の請求項１乃至請求項４に記載のユニット住宅は、柱部、壁部及び屋根部が収納されたり分割されたりしてコンパクトな形状を造ることができるので不使用時には広い保管場所を必要としない上に運搬も容易となり、そして、各々の部材は展開して広い居住空間を造ることができるので使用時には快適に生活することができる。
【００１５】
また、本発明の請求項５及び請求項６に記載のユニット住宅の施工方法においては、コンパクトに収納されたユニット住宅は設置に際して余分な敷地を必要とせず、また、展開作業は簡単であるので短時間で施工することができる。
【発明を実施するための最良の形態】
【００１６】
本発明の請求項１乃至請求項４に記載のユニット住宅は、柱部、壁部及び屋根部を収納したり展開するように設計し、使用者が使用時と不使用時に外形を選択することを実現した。
また、本発明の請求項５及び請求項６に記載のユニット住宅の施工方法は、請求項１及び請求項２に記載のユニット住宅を簡単に施工する方法を実現した。
【実施例１】
【００１７】
以下に、本発明の実施の最良の形態に係るユニット住宅の第１の実施例を図１乃至図７を参照しながら説明する。（特に、請求項１に対応）
図１は本実施例に係るユニット住宅の外形図である。
図１において、ユニット住宅１は、四面の壁と屋根２と妻壁３によって囲われて内部に居住空間を造っている。この四面の壁はそれぞれ第１の壁４と第２の壁５から構成されており、一部の壁には出入り口を兼ねた大きな窓６と小窓７が設置されている。また、屋根２は片側が傾斜した片流れ屋根構造になっている。そして、ユニット住宅１は同形状のユニット住宅８と連結されており、より広い居住空間を造っている。なお、ユニット住宅８はユニット住宅１と同形状でなくてもよく、連結可能であればどのようなものでも配置することができる。
【００１８】
次に、図２を用いて本実施例に係るユニット住宅の構造について説明する。
図２は（ａ）は本実施例に係るユニット住宅の使用時の断面図であり、（ｂ）は同じくユニット住宅の収納時の断面図である。
図２（ａ）において、ユニット住宅１は、基礎９の上部に一対の第１の柱１０，１０が垂設されており、これらの第１の柱１０，１０の上部には、それぞれ第２の柱１１，１１が連結されて柱固定用ボルト１２で固定されている。図示していないが、これらの一対の第１の柱１０，１０及び第２の柱１１，１１の他にそれぞれもう一対の第１の柱及び２の第２の柱が設置されており、ユニット住宅１は、これら二対の第１の柱及び二対の第２の柱が骨組みの中心となっている。
しかしながら、ユニット住宅１に設置される柱は二対に限定されるものではなく、二対以上設置すると、さらに耐力を増した構造となるのは言うまでもない。なお、これらの柱の材料には鋼を用いるのが好ましい。
【００１９】
そして、二対の第１の柱１０，１０の下端部間にはそれぞれ一対の床支持部材１３，１３，１４，１４が横設され、また、第２の柱１１，１１の上端部間には、一対の屋根支持梁部材１７，１７が横設されている。なお、本図においては、符号１３の床支持部材に平行な屋根支持梁部材１７のみ設けられているが、符号１４の床支持部材に平行にさらに一対の屋根支持梁部材を設けてもよい。但し、これらの床支持部材及び屋根支持梁部材は必ずしも第１の柱１０，１０の下端部間及び第２の柱１１，１１上端部間に横設する必要はなく、例えば、クロスバーのような形状にしてもよい。
【００２０】
また、２の屋根支持梁部材１７，１７の下方には２の第１の壁１５，１５が設置されており、これら２の第１の壁１５，１５の下端部と係合して、２の第１の壁１５，１５の下方には２の第２の壁１６，１６が配置されている。なお、図中では奥側と手前側に、これら２の第１の壁１５，１５及び２の第２の壁１６，１６に隣接するさらに２の第１の壁及び２の第２の壁が設置されている。但し、これらの壁は２の第１の壁１５，１５及び２の第２の壁１６，１６と同形状でなくてもよく、例えば、一体化して一枚の壁にすることもできる。
【００２１】
そして、２の屋根支持梁部材１７，１７のうち、１の屋根支持梁部材１７には、屋根設置用ヒンジ１８を介して屋根用外装材１９と屋根部材２０で構成される第１の屋根２１が枢設されている。この第１の屋根２１は、屋根部材２０に第１の屋根用ヒンジ２２が設けられているので、第１の屋根用ヒンジ２２を枢軸として屋根部材２０側に曲折できるようになっている。また、屋根用フック２３をピン２４に掛けると、屋根部材２０は曲折部を直線状に展開して保持することができる。さらに、屋根用外装材１９にも第２の屋根用ヒンジ２５が設けられており、屋根外装材１９の一部は第２の屋根用ヒンジ２５を枢軸として曲折する構造になっている。
【００２２】
一方、他の屋根支持梁部材１７には、柱設置用ヒンジ２６を介して第３の柱２７が枢設され、固定具２８にボルトを螺合して固定されている。また、第３の柱２７には第３の壁２９が設置されており、この第３の壁２９に設けられる壁用ヒンジ３０を枢軸として、第３の柱２７及び第３の壁２９は曲折可能になっている。そして、柱用フック３１をピン３２に掛けることにより、第３の柱２７及び第３の壁２９は曲折部を直線状に保持することができる。
そして、第１の屋根２１と第３の柱２７及び第３の壁２９は、屋根部材２０と第３の柱２７に各々設けられる接合孔３３にボルトを螺合して接合される。また、この接合部分の外面には頂点部外装材３４が、また、１の第２の壁１１と第２の屋根２１との接合部に軒部外装材３５が設置されており、外部からの雨水等の浸入を防止している。
【００２３】
続いて、図２（ｂ）において、収納時のユニット住宅１は、柱部、壁部及び屋根部が各々分解されたり曲折したりしてコンパクトな略直方体の形状を有している。
詳しい構造については後述するのでここでは簡単に説明すると、まず、柱部は、２の第２の柱（図示せず）は２の第１の柱１０，１０の内部に収納されており、また、壁部は、２の第１の壁１５，１５と２の第２の壁１６，１６は分解されて二対の第１の柱１０，１０の間に隣接して配置、収容されている。さらに、第３の柱２７及び第３の壁２９は、壁用ヒンジ３０によって一部を１８０度曲折し、１の屋根支持梁部材１７に設けられた柱設置用ヒンジ２６によって端部を１８０度回動して１の第２の壁１６に隣接して収納されている。そして、屋根２１は、第１の屋根用ヒンジ２２及び第２の屋根用ヒンジ２５において屋根部材２０及び屋根用外装材１９がそれぞれ１８０度曲折し、さらに、１の屋根支持梁部材１７に設けられた屋根設置用ヒンジ１８によって回動し、他の屋根支持梁部材１７の上方に載上されている。
なお、収納時のユニット住宅１の大きさを汎用コンテナ規格及び汎用トラックトレーラ規格並びに道路交通法等を考慮して設計すると、運搬時の不備や事故を防止することができる。
【００２４】
次に、本実施例に係るユニット住宅の部材の構造について図３乃至図５を用いて詳細に説明する。
図３（ａ）は、本実施例に係るユニット住宅の柱部の収納時の概念図であり、（ｂ）は同じく柱部の使用時の概念図である。
図３（ａ）において、ユニット住宅の収納時には、二対の第１の柱１０ａ，１０ｂの内部に二対の第２の柱が収納されている。二対の第１の柱１０ａ，１０ｂは内部が空洞の角柱であり、第２の柱はこの角柱の内周よりも細く設計されるので、第１の柱及び第２の柱はそれぞれいわゆる入れ子構造をとり、コンパクトに収納できるのである。そして、二対の第１の柱１０ａ，１０ｂの下端部には各々床支持部材１３，１４が横設され、二対の第２の柱の上端部には各々屋根支持梁部材１７が横設されている。
一方、図３（ｂ）において、ユニット住宅の使用時には、屋根支持梁部材１７を上方に引き上げると、この屋根支持梁部材１７に固設されている二対の第２の柱１１ａ，１１ｂが二対の第１の柱１０ａ，１０ｂの内部から現れる。そして、二対の第２の柱１１ａ，１１ｂを完全に伸長させて二対の第１の柱１０ａ，１０ｂとボルト等で固定すると、各々１本の長い柱を形成することができるのである。
なお、図３（ｂ）では、二対の補強部材３６を設けているが、この補強部材３６は必ずしも必要なものではない。
【００２５】
次に、壁部について説明する。図４（ａ）は、本実施例に係るユニット住宅の壁部の収納時の概念図であり、（ｂ）は同じく壁部の組立て時の概念図であり、（ｃ）は同じく壁部の使用時の概念図である。
図４（ａ）において、ユニット住宅の壁部は収納された状態を示しており、屋根支持梁部材１７の下方に設置された第１の壁１５の外側に第２の壁１６が隣接し、第１の柱１０と図示していないが第１の柱１０に対向する他の第１の柱間に設置されている。
そして、図４（ｂ）において、屋根支持梁部材１７を上方に引き上げると、屋根支持梁部材１７に固設された第２の柱１１と、この第２の柱１１の上端部に吊設された第１の壁１５が同時に引き上げられる。第２の柱１１を完全に伸長させて、柱固定用ボルト１２で第１の柱１０と第２の柱１１を固定した後に、第１の壁１５を外側へ押し出すと、第１の壁１５の下端部と第２の壁１６の上端部が係合して、図４（ｃ）に示すように、第１の壁１５と第２の壁１６は一面の大きな壁を形成することができるのである。
【００２６】
ここで、第１の壁１５と第１の柱１０及び第２の柱１１の関係について図５（ａ），（ｂ）を参照しながら説明する。図５（ａ）は、壁部の組立時における拡大図であり、図５（ｂ）は第１の柱及び第２の柱のカバーを示す概念図である。  図５（ａ）において、第１の壁１５には、第１の柱１０及び第２の柱１１と接する側面の上端部に地面と水平方向に突出する支持突起１５ａが設けられている。そして、第２の柱１１が第１の柱１０内に収納された状態では、この支持突起１５ａが、第１の柱１０に設けられるＵ字型の切欠き１０ｃを貫通し、第２の柱１１に設けられるスライド溝１１ｃに掛止されて、第１の壁１５は第２の柱１１に吊設されている。したがって、組立て時に、第２の柱１１が固設されている屋根支持梁部材１７を上方に引き上げると、第２の柱１１と同時に第１の壁１５も引き上げられるのである。そして、第２の柱１１の伸長が終了した時点では、第１の壁１５は第２の壁１６の肉厚だけ内側に配置されているので、支持突起１５ａを横長に設けられるスライド溝１１ｃに沿って外側へ移動させると第２の壁１６の上端部を係合することができる。
係合させた後、図５（ｂ）に示すように、第１の壁１５と第２の柱１１の間及び第２の壁１６と第１の柱１０の間は隙間を生じるため、カバー１１ｄをはめ込むことでその隙間を埋めるようにするとよい。
なお、第１の壁１５は、他方の側面についても同様の形状の支持突起１５ａを有しており、また、第１の柱１０及び第２の柱１１と対を成す第１の柱及び第２の柱についても同様の形状の切欠き及びスライド溝を有している。
【００２７】
続いて、屋根部について説明する。図６（ａ）は、本実施例に係るユニット住宅の屋根部の回動を示す概念図であり、（ｂ）は同じく屋根部の伸長を示す概念図であり、（ｃ）は同じく柱部の回動を示す概念図であり、（ｄ）は同じく屋根部と柱部の接合を示す概念図である。
図６（ａ）において、屋根設置用ヒンジ１８は、屋根支持梁部材１７の上面と、屋根部材２０の端部に設置されており、屋根設置用ヒンジ１８を枢軸として、屋根部材１９は回動自在になっている。したがって、屋根部材２０を回動させることによって、第１の屋根は容易に勾配を造ることができる。
また、図６（ｂ）において、屋根部材２０には、第１の屋根用ヒンジ２２が設置されており、この第１の屋根用ヒンジ２２を枢軸として、屋根部材２０は曲折可能であり、収納時には、曲折することによって第１の屋根を短くすることができ、逆に、使用時には、曲折部を伸長し、屋根用フック２３をピン２４に掛止すると強度が保持された状態で十分な長さを確保することができる。
【００２８】
そして、第１の屋根に対向する側については、図６（ｃ）に示すように、第３の柱２７は、屋根支持梁部材１７との間に設置される柱設置用ヒンジ２６を枢軸として屋根支持梁部材１７に対して垂直になるまで回動し、固定具２８にボルト３７を螺合して固定される。なお、第３の柱２７に設置される第３の壁２９には、壁用ヒンジが設置されて曲折可能になっているが、その構造は図６（ｂ）とほぼ同様であるので説明を省略する。
また、図６（ｄ）に示すように、屋根部材２０と第３の柱２７の接合は、第３の柱２７の上端部に屋根部材２０が覆設されて、両部材に設けられる接続孔３３へのボルト３７の螺合によって行われる。
このように、第１の屋根と第３の柱２７及び第３の壁は、各種のヒンジを設置することによって曲折や伸長を容易に行うことができる。
【００２９】
次に、図７及び図８を用いて、本実施例に係るユニット住宅の施工及び組立て時の手順について説明する。図７は、本実施例に係るユニット住宅を施工する順序を示す概念図である。
図７において、本実施例に係るユニット住宅１は、製造工場３８において製造され、そして、トレーラ３９に積載されて施工現場へ運搬される。ユニット住宅１はコンパクトに収納されて略直方体の形状を有しているので、トレーラ３９の荷台には、複数のユニット住宅１を積載することができる。なお、施工現場へ直接運搬するのではなく、一旦、所有者や管理者の倉庫等へ運搬して保管することもできる。
そして、施工現場では、ユニット住宅１を設置するための基礎９を設置しておく。続いて、クレーン車４０を用いてトレーラ３９に積載されたユニット住宅１を吊り上げて基礎９上に載置する。なお、クレーン車４０以外にもフォークリフトを用いることもできる。
【００３０】
続いて、図８（ａ）において、ユニット住宅１が基礎９上に固定されると、まず、図８（ｂ）のように、第１の壁１５を引き上げて壁部を伸張する。図示していないが、前述のように、壁部の伸張は、屋根支持梁部材の引き上げによる柱の伸長に伴うものである。また、第１の壁１５には予め小窓４１が、そして、第１の壁１５及び第２の壁１６には建具用切欠部４２が設けられている。なお、これらの建具用の細工は、設置位置や個数は自由に設定することができ、本実施例の形態に限定するものではない。
次に、図８（ｃ）に示すように、第１の屋根２１を開いて曲折した部分を伸長する。そして、図８（ｄ）及び図８（ｅ）に示すように、ユニット住宅１の内部に収納されている第３の壁２９を取り出して伸長し、続いて、図８（ｆ）に示すように、第１の屋根２１と第３の壁２９を接合する。
最後に、図８（ｇ）において、二個の妻壁４３と窓４４を嵌め込むと、ユニット住宅１が完成する。そして、図示していないが、別に組立てられたユニット住宅と連結すると、より広いユニット住宅を建設することができる。
【００３１】
このように構成された本実施例においては、不使用時には、柱部は入れ子構造により収納され、また、壁部は分割されて重ねられ、そして、屋根部と屋根部に対向する柱及び壁は一部が曲折して壁部に囲われて形成される箱状の内部に収納されて、コンパクトな略直方体の形状を有するので、積載保管も可能であり、広い保管場所を必要とせず、また、運搬も容易となる。
そして、使用に際しては、組立てが簡単なので、少人数でも短時間で施工することができる。
【実施例２】
【００３２】
次に、本発明の実施の最良の形態に係るユニット住宅の第２の実施例を図９乃至図１４を参照しながら説明する。（特に、請求項２に対応）
図９は、本発明の本実施例に係るユニット住宅の外形図である。
図９において、本実施例に係るユニット住宅４５は、第１のユニット住宅４６と第２のユニット住宅４７から構成されており、第１のユニット住宅４６は実施例１におけるユニット住宅とほぼ同様の構造を有し、また、第２のユニット住宅４７は第１のユニット住宅４６を縮小したものである。いずれのユニット住宅も収納したり展開したりする折畳み式であり、詳しくは後述するが、第１のユニット住宅４６の内部に第２のユニット住宅４７を収納することができるという特徴を有している。
【００３３】
次に、図１０を用いて本実施例に係るユニット住宅の構造について説明する。
図１０（ａ）は、本実施例に係るユニット住宅の第１のユニット住宅の収納時の断面図であり、（ｂ）は同じく第２のユニット住宅の収納時の断面図であり、（ｃ）は同じく第２のユニット住宅の使用時の断面図である。
図１０（ａ）において、第１のユニット住宅４６は、柱部、壁部及び屋根部が分割されたり曲折したりして収納されている状態であり、さらに、その内部に第２のユニット住宅４７を収納している。この第１のユニット住宅４６は、後述する床部以外は実施例１におけるユニット住宅と同じ構造を有しており、詳しい説明は省略する。
【００３４】
次に、図１０（ｂ）において、第２のユニット住宅４７は柱部、壁部及び屋根部が収納された状態であり、この状態で、第１のユニット住宅４６の内部に載置されている。第２のユニット住宅４７の構造を簡単に説明すると、柱部はいわゆる入れ子構造により２の第４の柱４８，４８の内部に２の第５の柱が収納され、合体が可能である２の第４の壁４９，４９と２の第５の壁５０，５０は各々隣接して配置されている。
そして、屋根部材５２と屋根用外装材５３から構成される第２の屋根５４は一部を曲折して一の屋根支持梁部材５１に枢設されている。また、第６の柱５５及び第６の壁５６は他の屋根支持梁部材５１に枢設され、その一部を曲折して、２の第４の柱４８，４８間に収納されている。なお、後述するが、床支持部材５７には戸車５８が設置されている。
【００３５】
一方、使用時の第２のユニット住宅４７は、図１０（ｃ）に示すように、二対の第４の柱４８，４８から二対の第５の柱５９，５９が引き出されて柱固定用ボルト６０で固定され各々一本の柱を形成し、また、２の第４の壁４９，４９と２の第５の壁５０，５０が合体して各々一枚の壁が形成され、そして、第２の屋根５４は屋根用ヒンジ６１を枢軸とし曲折部を伸長し、屋根設置用ヒンジ６２によって勾配を造り、第６の柱５５及び第６の壁５６は壁用ヒンジ６３及び柱設置用ヒンジ６４を各々枢軸として伸長して一の屋根支持梁部材５１上に直立し、これらの部材の内部に居住空間を形成している。
【００３６】
続いて、本実施例に係るユニット住宅の床部について図１１を参照しながら説明する。図１１（ａ）は、本実施例に係るユニット住宅の第１のユニット住宅の床部を示す概念図であり、（ｂ）は同じく第２のユニット住宅の床部を示す概念図である。
図１１（ａ）において、第１のユニット住宅の床部は、図示していないが、第１の柱１０に対向する２の第１の柱と、第１の柱１０の間に２の床支持部材１３，１４が横設されており、床支持部材１３には他の床支持部材１４と平行方向に根太６４が設置されている。そして、一端が床支持部材１４に固設され、根太６４と直交する第１のガイドレール６５が設けられている。
一方、第２のユニットの床部は、図１１（ｂ）に示すように、第４の柱４８に床支持部材６６，６７が固設され、１の床支持部材６６に設置される根太６８と他の床支持部材６７の上部に戸車設置板６９が渡設され、この戸車設置板６９の下側に第１のユニット住宅の第１のガイドレール６５と係合可能な戸車５８が設置されている。また、戸車５８の近傍には、第１のユニット住宅の第１のガイドレール６５に接続可能で水平方向に可動する第２のガイドレール７０が設けられている。
したがって、第１のユニット住宅から第２のユニット住宅を取り出すには、まず、第２のガイドレール７０を水平方向に引き出して第１のガイドレール６５と接続し、そして、第２のユニット住宅を水平方向に引っ張ると、第１のガイドレール６５及び第２のガイドレール７０上を戸車５８が滑らかに回転して移動するので、簡単に行うことができる。なお、設置される戸車５８の個数は、第２のユニット住宅を移動できる個数であればよく、特に限定されるものではない。
【００３７】
次に、本実施例に係るユニット住宅の組立て時の手順を図１２乃至図１４を参照しながら説明する。
図１２乃至図１４は、本実施例に係るユニット住宅を組立てる順序を示す概念図である。なお、ユニット住宅の製造工場からの運搬及び基礎への設置については実施例１の場合と同様である。
まず、図１２（ａ）において、基礎９にユニット住宅４５を載置する。なお、ユニット住宅４５の第１のユニット住宅４６の内部には第２にユニット住宅が収納されており、第２のユニット住宅を設置するために基礎７１も設置しておく。
次に、図１２（ｂ）において、第１のユニット住宅４６から第２のガイドレール７０を引き出して基礎７１上に設置する。そして、図１２（ｃ）に示すように、第２のユニット住宅４７を第１のユニット住宅４６から第２のガイドレール７０に沿って引き出す。
続いて、図１２（ｄ）において、第１のユニット住宅４６の第１の壁１５と、第２のユニット住宅４７の第４の壁４９を伸張する。図示していないが、これらの壁の伸張と共に柱も伸長される。
そして、屋根部の組立てを行うが、第１のユニット住宅４６については、実施例１と同様であるので、図１２（ｅ）乃至図１３（ｃ）の説明は省略する。また、第２のユニット住宅４７についてもほぼ同様の手順であるので、簡単に説明すると、まず、図１３（ｄ）において、第２の屋根５４を開いて曲折部を伸張し、図１３（ｅ）及び図１３（ｆ）において、第６の壁５６を内部から上方に引き出して曲折部を伸張し、図１４（ａ）において、第２の屋根５４と第６の壁５６を接合する。そして、図１４（ｂ）において妻壁７２を設置すると、第２のユニット住宅４７が組立てられ、ユニット住宅４５が完成する。
最後に、図１４（ｃ）に示すように、ユニット住宅４５に実施例１のようなユニット住宅を連結すると、より広い住居空間を有するユニット住宅を造ることができる。
【００３８】
このように構成された本実施例においては、第１のユニット住宅４６の内部に第２のユニット４７住宅が収納されるので、保管時にはコンパクトな形状を有しているにも拘わらず、使用時には展開してより広い居住空間を有するユニット住宅を造ることができる。また、第１のユニット住宅４６と第２のユニット住宅４７にガイドレールと戸車を設置しているので、第２のユニット住宅４７を簡単に取り出すことができる。
【実施例３】
【００３９】
次に、本発明の実施の最良の形態に係るユニット住宅の第３の実施例を図１５を参照しながら説明する。（特に、請求項３に対応）
図１５は、本実施例に係るユニット住宅の断面図である。なお、本実施例に係るユニット住宅の主な構造は実施例１におけるユニット住宅と同様であり、同じ部材については同じ符号を使用し、その説明は省略する。
図１５において、本実施例に係るユニット住宅７３では、第３の壁２９にロフト７４が回動可能に垂設されている。このロフト７４は不使用時には、第３の壁２９に隣接して第３の柱２７に生じる隙間に収めることができる。したがって、ユニット住宅７３を収納する場合には、図中の破線で示すように、第３の柱２７及び第３の壁２９と同様に曲折することができる。
このように構成された本実施例においては、第３の壁２９にロフト７４を設置することによって、比較的高く設計される屋根部の内側の空間を利用して、新たな居住空間を提供することができる。また、ロフト７４は第３の柱２７に生じる隙間に収まるので、ユニット住宅７３の収納に影響を及ぼさない。
【実施例４】
【００４０】
次に、本発明の実施の最良の形態に係るユニット住宅の第４の実施例を図１６を参照しながら説明する。（特に、請求項４に対応）
図１６（ａ）は、本実施例に係るユニット住宅の基礎部の外形図であり、（ｂ）は同じくユニット住宅の基礎部の高さを変更した場合の外形図である。
図１６（ａ）において、ユニット住宅の基礎７５は、コンクリート基礎７６の上部に円筒７７が設置され、さらに、この円筒７７の内部に円柱７８が設置されている。
この円柱７８は、図１６（ｂ）に示すように、鉛直方向に移動して任意の位置で固定することができ、基礎７５全体の高さを変更することができる。なお、円柱７８が上方に移動して生じる円柱７８の下の隙間にはコンクリートを埋めると安定して固定することができる。
このように構成された本実施例においては、個々の基礎の高さを変えることができるので、設置場所が平らでなく、傾斜や段差がある場合においてもユニット住宅を常に水平に設置することができる。
【実施例５】
【００４１】
次に、本発明の実施の最良の形態に係るユニット住宅の施工方法の第１の実施例を図１７を参照しながら説明する。（特に、請求項５に対応）
図１７は、本実施例に係るユニット住宅の施工方法の工程図である。
図１７において、ステップＳ１は、基礎部の固設工程を示している。このステップＳ１では、ユニット住宅を載置する基礎部を地面に固設する。なお、設置する基礎部の個数は特に限定されるものではない。
次に、ステップＳ２は、ユニット住宅の設置工程を示している。このステップＳ２では、コンパクトに収納されたユニット住宅をクレーン車等で吊り上げてステップＳ１において固設された基礎部の上部に載置して固定する。
続いて、ステップＳ３は柱部の展開工程を示している。このステップＳ３では、入れ子構造になっている内側の第２の柱を外側の第１の柱から引き上げて伸長し、第１の柱と第２の柱をボルトで固定して一本の長い柱を組立てる。
第１の柱及び第２の柱は少なくとも二対設けられており、対を成している第２の柱の上端部間には、それぞれ屋根支持梁部材が横設されているので、この屋根支持梁部材を引き上げると対となる２の第２の柱は同時に伸長される。
【００４２】
ステップＳ４は壁部の伸張工程を示している。このステップＳ４では、分割され、隣接して配置される第１の壁と第２の壁の内、第１の壁を引き上げて第１の壁の下端部と第２の壁の上端部を係合させて一枚の大きな壁を造る。
なお、第１の壁及び第２の壁は、第１の壁を内側に、第２の壁を外側にして配置されており、第１の壁を引き上げると、第１の壁は第２の壁の厚みだけ内側に位置するので、第１の壁を外側へ移動させて両者の係合部を係合させる。
また、第１の壁は一対の第２の柱の上端部に吊設されているので、第１の壁の上方への移動は、ステップＳ２における柱部の伸長と同時に行われる。但し、柱部の伸長と壁部の上方への移動は別個に行うことも可能である。
【００４３】
次に、ステップＳ５は屋根部の設置工程を示している。このステップＳ５では、柱部及び壁部によって形成される略直方体状のユニット住宅の内部に一部を曲折して収納し、残りの部分を略直方体の上部に載置している屋根を伸長、展開して勾配を造り、同じく、ユニット住宅の内部に曲折して収納されている第３の壁を伸長し、これらの屋根と第３の壁を接合して片側に傾斜する屋根を形成する。
そして、ステップＳ６は、妻壁の設置工程を示している。このステップＳ６では、ステップＳ４及びステップＳ５において設置される壁部と屋根部の妻側に生じる隙間に妻壁を設置する。この妻壁は、ユニット住宅とは別個に保管してもよいが、ヒンジを設けて曲折し、略直方体に収納されるユニット住宅の内部に収めるようにしてもよい。
【００４４】
次に、ステップＳ７は、建具の設置工程を示している。このステップＳ７では、壁部に設けられている建具用切欠部に窓やドア等の建具を嵌め込む。
最後に、ステップＳ８は、ユニット住宅の連結工程を示している。このステップＳ８では、複数のユニット住宅を連結してより広い居住空間を有するユニット住宅を造る。連結するユニット住宅には、実施例１乃至実施例４におけるユニット住宅を用いることができる。なお、連結するユニット住宅の個数は特に限定されず、また、連結せずに一個のユニット住宅を使用することもでき、この場合、ステップＳ８は省略する。
なお、使用中のユニット住宅を撤去する場合は、ステップＳ１からステップＳ８の工程を逆に進めると簡単に行うことができる。
【００４５】
このように構成された本実施例においては、屋根支持梁部材を上方に引き上げると、この屋根支持梁部材に連結している柱が伸長され、かつ、この柱に吊設された壁が上方へ移動するので、簡単に組立てることができる。
また、柱部、壁部及び屋根部等の主な部材が連結されているので、部材の紛失が少なく、しかも施工ミスが少なくなるという利点を有している。
【実施例６】
【００４６】
次に、本発明の実施の最良の形態に係るユニット住宅の施工方法の第２の実施例を図１８を参照しながら説明する。（特に、請求項６に対応）
図１８は、本発明の本実施例に係るユニット住宅の施工方法の工程図である。
図１８において、ステップＳ１は、基礎部の固設工程を示している。このステップＳ１では、ユニット住宅を載置する基礎部を地面に固設する。本実施例において施工するユニット住宅は、第１のユニット住宅と第２のユニット住宅から構成されるので、第１のユニット住宅に必要な基礎部と第２のユニット住宅に必要な基礎部を設置する。
次に、ステップＳ２は、ユニット住宅の設置工程を示している。このステップＳ２では、略直方体の形状に折畳まれた第１のユニット住宅に内部に同様に略直方体の形状に折畳まれた第２のユニット住宅を収納したユニット住宅を、クレーン車等で吊り上げてステップＳ１において固設された第１のユニット住宅用の基礎部の上部に載置して固定する。
そして、ステップＳ３は、ユニット住宅の分離工程を示している。このステップＳ３では、第１のユニット住宅の内部に収納される第２のユニット住宅を引き出して分離する。まず、第２のユニット住宅に設置される第２のガイドレールを引き出して第１のユニット住宅に設置される第１のガイドレールと連結し、第２のガイドレールをステップＳ１において設置した第２のユニット住宅用の基礎部上に固定する。そして、第２のユニット住宅に設置される戸車を、第１のガイドレール及び第２のガイドレール上を滑動させて第２のユニット住宅用の基礎部に固定する。
続いて、ステップＳ４は第１のユニット住宅の組立工程を、ステップＳ５は第２のユニット住宅の組立工程を、そして、ステップＳ６はユニット住宅の連結工程を示している。ステップＳ４及びステップＳ５に示す工程は、各々実施例５におけるステップＳ３乃至ステップＳ７と同様であり、また、ステップＳ６に示す工程は、同じく、実施例５におけるステップＳ８と同様であるので、その説明は省略する。
【００４７】
このように構成された本実施例においては、実施例５におけるユニット住宅の施工方法の効果に加えて、戸車とガイドレールを設置して第１のユニット住宅から第２のユニット住宅を容易に分離して設置するので、別個のユニット住宅を各々運搬して設置するよりも簡単に広い居住空間を有するユニット住宅を施工することができる。
【産業上の利用可能性】
【００４８】
以上説明したように、本発明の請求項１乃至請求項６に記載された発明は、広い場所がなくても保管でき、また、運搬及び設置並びに撤去が簡単なユニット住宅を提供可能であり、自治体による緊急時の仮設住宅や、一般住宅及びレジャー用簡易住宅として利用可能である。
【図面の簡単な説明】
【００４９】
【図１】本発明の本実施例に係るユニット住宅の外形図である。
【図２】（ａ）は本実施例に係るユニット住宅の使用時の断面図であり、（ｂ）は同じくユニット住宅の収納時の断面図である。
【図３】（ａ）は本実施例に係るユニット住宅の柱部の収納時の概念図であり、（ｂ）は同じく柱部の使用時の概念図である。
【図４】（ａ）は本実施例に係るユニット住宅の壁部の収納時の概念図であり、（ｂ）は同じく壁部の組立て時の概念図であり、（ｃ）は同じく壁部の使用時の概念図である。
【図５】（ａ）は壁部の組立時における拡大図であり、（ｂ）は第１の柱及び第２の柱のカバーを示す概念図である。
【図６】（ａ）は本実施例に係るユニット住宅の屋根部の回動を示す概念図であり、（ｂ）は同じく屋根部の伸長を示す概念図であり、（ｃ）は同じく柱部の回動を示す概念図であり、（ｄ）は同じく屋根部と柱部の接合を示す概念図である。
【図７】本実施例に係るユニット住宅を施工する順序を示す概念図である。
【図８】本実施例に係るユニット住宅を組立てる順序を示す概念図である。
【図９】本発明の本実施例に係るユニット住宅の外形図である。
【図１０】（ａ）は本実施例に係るユニット住宅の第１のユニット住宅の収納時の断面図であり、（ｂ）は同じく第２のユニット住宅の収納時の断面図であり、（ｃ）は同じく第２のユニット住宅の使用時の断面図である。
【図１１】（ａ）は本実施例に係るユニット住宅の第１のユニット住宅の床部を示す概念図であり、（ｂ）は同じく第２のユニット住宅の床部を示す概念図である。
【図１２】本実施例に係るユニット住宅を組立てる第１の順序を示す概念図である。
【図１３】本実施例に係るユニット住宅を組立てる第２の順序を示す概念図である。
【図１４】本実施例に係るユニット住宅を組立てる第３の順序を示す概念図である。
【図１５】本発明の本実施例に係るユニット住宅の断面図である。
【図１６】（ａ）は本発明の本実施例に係るユニット住宅の基礎部の外形図であり、（ｂ）は同じくユニット住宅の基礎部の高さを変更した場合の外形図である。
【図１７】本発明の本実施例に係るユニット住宅の施工方法の工程図である。
【図１８】本発明の本実施例に係るユニット住宅の施工方法の工程図である。
【符号の説明】
【００５０】
１…ユニット住宅  ２…屋根  ３…妻壁  ４…第１の壁  ５…第２の壁  ６…窓  ７…小窓  ８…ユニット住宅  ９…基礎  １０，１０ａ，１０ｂ…第１の柱１０ｃ…切欠き  １１，１１ａ，１１ｂ…第２の柱  １１ｃ…スライド溝  １１ｄ…カバー  １２…柱固定用ボルト  １３…床支持部材  １４…床支持部材  １５…第１の壁  １５ａ…支持突起  １６…第２の壁  １７…屋根支持梁部材  １８…屋根設置用ヒンジ  １９…屋根用外装材  ２０…屋根部材  ２１…第１の屋根  ２２…第１の屋根用ヒンジ  ２３…屋根用フック  ２４…ピン  ２５…第２の屋根用ヒンジ  ２６…柱設置用ヒンジ  ２７…第３の柱  ２８…固定具  ２９…第３の壁  ３０…壁用ヒンジ  ３１…柱用フック  ３２…ピン  ３３…接合孔  ３４…頂点部外装材  ３５…軒部外装材  ３６…補強部材  ３７…ボルト  ３８…製造工場  ３９…トレーラ  ４０…クレーン車  ４１…小窓  ４２…建具用切欠部  ４３…妻壁  ４４…窓  ４５…ユニット住宅  ４６…第１のユニット住宅  ４７…第２のユニット住宅  ４８…第４の柱  ４９…第４の壁  ５０…第５の壁  ５１…屋根支持梁部材  ５２…屋根部材  ５３…屋根用外装材  ５４…第２の屋根  ５５…第６の柱  ５６…第６の壁  ５７…床支持部材  ５８…戸車  ５９…第５の柱  ６０…柱固定用ボルト  ６１…屋根用ヒンジ  ６２…屋根設置用ヒンジ  ６３…壁用ヒンジ  ６４…根太  ６５…第１のガイドレール  ６６…床支持部材  ６７…床支持部材  ６８…根太  ６９…戸車設置板  ７０…第２のガイドレール  ７１…基礎  ７２…妻壁  ７３…ユニット住宅  ７４…ロフト  ７５…基礎  ７６…コンクリート基礎  ７７…円筒  ７８…円柱
【図１】
2005097952.tif 000003
【図２】
2005097952.tif 000004
【図３】
2005097952.tif 000005
【図４】
2005097952.tif 000006
【図５】
2005097952.tif 000007
【図６】
2005097952.tif 000008
【図７】
2005097952.tif 000009
【図８】
2005097952.tif 000010
【図９】
2005097952.tif 000011
【図１０】
2005097952.tif 000012
【図１１】
2005097952.tif 000013
【図１２】
2005097952.tif 000014
【図１３】
2005097952.tif 000015
【図１４】
2005097952.tif 000016
【図１５】
2005097952.tif 000017
【図１６】
2005097952.tif 000018
【図１７】
2005097952.tif 000019
【図１８】
2005097952.tif 000020